(57)【特許請求の範囲】
【請求項１】
パワーシャベルのブームに装着された動力ウインチと、ブームの先端に枢動可能に連結されたバケットアームに固定され、動力ウインチから引き出されたワイヤロープを案内するガイドシーブを含むワイヤロープ保持装置とを使用し、ガイドシーブを通して案内されたワイヤロープを、枝木集合物の周りに掛けて、その先端をワイヤロープ保持装置に連結し、動力ウインチを作動してワイヤロープを、ガイドシーブを通して引き込み、それによって枝木集合物をワイヤロープで引き締めて束にする、枝木の結束方法。
【発明の詳細な説明】
【技術分野】
【０００１】
本発明は、枝木の集合物を、束ねる前に引き締める方法に関する。
【背景技術】
【０００２】
切り倒した木を木材として収穫するには、枝払いが必要である。枝払いから出た多数の枝木を作業現場から運び出すには枝木を集めてその集合物を結束することが要請される。枝木を何本も集めて束ねようとすると、一般的に枝木の曲がりや小枝の張り出し等の理由から、嵩張っていてまとまりにくく、うまく束ねるには相当な労力と時間がかかるとった問題があった。
【発明の概要】
【発明が解決しようとする課題】
【０００３】
本発明の目的は、枝木の集合物に、これをスチールバンドや樹脂バンドなどで結束するに先立って、動力ウインチのワイヤロープの引き込みにより枝木の集合物を引き締めて束にする、枝木の結束方法を提供するにある。
【課題を解決するための手段】
【０００４】
本発明のこの目的は、パワーシャベルのブームに装着された動力ウインチと、ブームの先端に枢動可能に連結されたバケットアームに固定され、動力ウインチから引き出されたワイヤロープを案内するガイドシーブを含むワイヤロープ保持装置とを使用し、ガイドシーブを通して案内されたワイヤロープを、枝木集合物の周りに掛けて、その先端をワイヤロープ保持装置に連結してループ状にし、動力ウインチを作動してワイヤロープをガイドシーブを通して引き込み、それによって枝木集合物をワイヤロープで引き締めて束にする、枝木の結束方法を提供することによって達成される。
【発明の効果】
【０００５】
本発明によれば、スチールバンドや樹脂バンドを用いて枝木の集合物を結束するに先立って、まとまりにくい枝木の集合物に動力ウインチのワイヤロープをループ状に掛け、動力ウインチの動力によりワイヤロープを引き込むことにより枝木の集合物を引き締めて束にすることができるため、その後の結束が容易である。
【図面の簡単な説明】
【０００６】
【図１】本発明による枝木の結束方法を示す概略図であって、動力ウインチのワイヤロープを枝木の集合物に掛けた様子を示す図である。
【図２】枝木集合物をワイヤロープで引き締めている様子を示す図１と同様の図である。
【図３】ワイヤロープ保持装置の側面図である。
【図４】ワイヤロープ保持装置の正面図である。
【図５】ワイヤロープの端末をワイヤロープ保持装置のフレームに固定ないし連結する方法を示す概略図である。
【図６】ワイヤロープの端末をワイヤロープ保持装置のレームに固定ないし連結する他の方法を示す概略図である。
【図７】ワイヤロープの端末をワイヤロープ保持装置のフレームに固定ないし連結するさらに他の方法を示す概略図である。
【発明を実施するための形態】
【０００７】
以下、添付図面を参照して、本発明による結束方法を詳細に説明する。図中参照番号１はブームであって、在来のパワーシャベルの車体（図示せずから延び、バケットアーム２がブーム１の先端に枢動可能に連結され、先端にバケット３を有している。バケット３は、油圧シリンダ４によって上下に揺動されるようになっている。在来の動力ウインチ５がブーム１の下側に取り付けられ、バケットアーム２の下側には、ワイヤロープ保持装置６が固定されている。ワイヤロープ保持装置６は、クロスプレート７によって連結された一対の側フレーム８を含み、ワイヤロープ保持装置６のバケットアーム２への固定は、クロスプレート７をバケットアーム２に取り付けることによって達成される。側フレーム８には、動力ウインチ５のリール９から引き出されたワイヤロープ１０を案内するためのガイドシーブ１１が回転自在に設けられている。側フレーム８にはまた、ワイヤロープ１０がガイドシーブ１１からはずれるのを防止するための押さえローラ１２が設けられている。
【０００８】
側フレーム８には、連結ロッド１３（図５参照）又は連結ボルト１４（図６参照）を差し込むための穴１５が設けられている。ワイヤロープ１０は、その先端に目穴１６を有し、目穴１６に連結ロッド１３又は連結ボルト１４を通すことによって、ワイヤロープ保持装置６に連結される。図７に示すように、目穴１６にシャックル１７を通し、側フレーム８の穴１５にシャックルボルト１８を通すことによってワイヤロープ１０をワイヤロープ保持装置６に連結してもよい。
【０００９】
図１で明らかなように、例えば、一対の受け木１９を間隔を隔てて置き、その上に、所定な長さに切り揃えた枝木２０を、所定の大きさの束になるように積み上げる。積み上げた枝木２０の集合物を、バケットアーム２で軽く押さえてから、ワイヤロープ１０を動力ウインチ5のリール９から引き出してガイドシーブ１１に通し、枝木の集合物の周りに通してその端末の目穴１６に、連結ロッド１３又は連結ボルト１４をフレーム８の穴１５に通しながら通す。これによってワイヤロープ１０は、枝木の集合物の周りにループをなしてワイヤロープ保持装置６に連結される。一対の受け木１９の上に枝木を置くことによってワイヤロープ１０を通しやすくする。ワイヤロープ１０をその保持装置６に連結するのに用いられる連結ロッド又は連結ボルトの代わりにシャックル１７及びシャックルボルト１８を使用してもよいことは先に述べた通りである。図１において、枝木は整然と図示されているが、これは説明のためであって、実際には曲がったり、小枝が付いていたりしたものであることを理解すべきである。
【００１０】
図２から明らかなように、動力ウインチ５を作動してワイヤロープ１０を引き込むと、端末がワイヤロープ保持装置６に連結され、ガイドシーブ１１を通して形成されたワイヤロープ１０のループが小さくなって枝木２０の集合体をワイヤロープ１０で引き締める。これによって、枝木の集合物はほぼ丸い束にまとまる。動力ウインチの作動を停止し、油圧シリンダ４を作動してバケットを上向き起こし、引き締められた枝木の集合物から遠ざけ、スチールバンドや樹脂バンドなど２１で枝木２０の集合束を本格的に結束する。結束後、ワイヤロープの端末のワイヤロープ保持装置との連結を解いてワイヤロープ１０を結束された枝木の集合束から取り外す。
【００１１】
以上の説明からわかるように、本発明によれば、スチールバンドや樹脂バンドを用いて枝木の集合物を結束するに先立って、まとまりにくい枝木の集合物に動力ウインチのワイヤロープをループ状に掛け、動力ウインチの動力によりワイヤロープを引き込むことだけで枝木の集合物を引き締めて束にすることができるため、その後の結束が容易である。したがって枝木の全体の結束作業を迅速かつ効率的に行うことができ、きわめて画期的な枝木の結束方法を提供する。
【符号の説明】
【００１２】
１  ブーム
２  バケットアーム
５  動力ウインチ
６  ワイヤロープ保持装置
１０  ワイヤロープ
１１  ガイドシーブ
２０  枝木の集合物
【図１】
0005884199.tif 000002
【図２】
0005884199.tif 000003
【図３】
0005884199.tif 000004
【図４】
0005884199.tif 000005
【図５】
0005884199.tif 000006
【図６】
0005884199.tif 000007
【図７】
0005884199.tif 000008